(57)【要約】  ２つの高解像度ビデオ信号間を移行させる方法は、第１ビデオ信号のフレームである第１画像（１４５）を第１画像の低解像度コピー（１４７）で置換する段階、及び第１画像の低解像度コピー（１４７）をフェードアウトして第２ビデオ信号からの第２画像（１４６）を露出する段階を含む。ビデオ信号を表示するためのシステムは、少なくとも１つのビデオ信号ソースと通信するように構成されたビデオモニタ（１００、１００−１）を含む。システムは、第１ビデオ信号のフレームである第１画像（１４５）を第１画像の低解像度コピー（１４７）で置換し、かつ第１画像の低解像度コピー（１４７）をフェードアウトして第２ビデオ信号からの第２画像（１４６）を露出するように構成される。【選択図】図４
2012514944.tif 000002
【特許請求の範囲】
【請求項１】
２つの高解像度ビデオ信号間を移行させる方法であって、
第１ビデオ信号のフレームである第１画像（１４５）を該第１画像（１４５）の低解像度コピーで置換する段階と、
前記第１画像（１４５）の前記低解像度コピーをフェードアウトし、第２ビデオ信号からの第２画像（１４６）を露出する段階と、
を含むことを特徴とする方法。
【請求項２】
前記第１画像（１４５）を置換する段階の前にグラフィックオーバーレイ（１４０）を無効にして該第１画像（１４５）を表示する段階を更に含むことを特徴とする請求項１に記載の方法。
【請求項３】
前記第１画像（１４５）を置換する前記段階の前に該第１画像（１４５）を表示するために該第１画像（１４５）にビデオオーバーレイ（１４１）を向ける段階を更に含むことを特徴とする請求項１に記載の方法。
【請求項４】
前記第１画像（１４５）を第１ビデオバッファ（１４２）に記憶する段階を更に含むことを特徴とする請求項１に記載の方法。
【請求項５】
前記第１画像の前記低解像度コピー（１４７）を作成し、該第１画像の該低解像度コピー（１４７）をグラフィックバッファ（１４３）に記憶する段階を更に含むことを特徴とする請求項３に記載の方法。
【請求項６】
前記第１画像の前記低解像度コピー（１４７）にグラフィックオーバーレイ（１４０）を向ける段階と、
前記グラフィックオーバーレイ（１４０）を有効にする段階と、
を更に含むことを特徴とする請求項５に記載の方法。
【請求項７】
前記第１画像（１４５）の表示を該第１画像の前記低解像度コピー（１４７）の前記グラフィックオーバーレイ（１４０）で覆うことを完了する段階を更に含むことを特徴とする請求項６に記載の方法。
【請求項８】
前記第１画像の前記低解像度コピー（１４７）をフェードアウトして前記第２画像（１４６）を露出する段階の前に該第２画像（１４６）に前記ビデオオーバーレイ（１４１）を向ける段階を更に含むことを特徴とする請求項６に記載の方法。
【請求項９】
前記第２画像（１４６）を第２ビデオバッファ（１４４）に記憶する段階を更に含むことを特徴とする請求項１に記載の方法。
【請求項１０】
前記第１画像（１４５）を置換する前記段階の前に該第１（１４５）及び第２（１４６）画像を中心に置いてサイズ変更し、それぞれのバッファ（１４２、１４４）に適合させる段階を更に含むことを特徴とする請求項１に記載の方法。
【請求項１１】
２つの高解像度ビデオ信号間を移行させるためのシステムであって、
第１ビデオ信号のフレームである第１画像（１４５）を収容するための第１ビデオバッファ（１４２）と、
第２ビデオ信号のフレームである第２画像（１４６）を収容するための第２ビデオバッファ（１４４）と、
前記第１画像の低解像度コピー（１４７）を収容するためのグラフィックバッファ（１４３）と、
を含むビデオチップ、
を含み、
前記チップは、前記第１画像（１４５）を該第１画像の前記低解像度コピー（１４７）で置換し、かつ該第１画像の該低解像度コピー（１４７）をフェードアウトして前記第２画像（１４６）を露出し、前記第２ビデオ信号の表示を開始するように構成される、
ことを特徴とするシステム。
【請求項１２】
前記第１画像（１４５）を置換する前記段階の前に該第１画像（１４５）を最初に表示するためのビデオオーバーレイ（１４１）を更に含むことを特徴とする請求項１１に記載のシステム。
【請求項１３】
前記チップは、前記第１画像の前記低解像度コピー（１４７）を作成し、かつ該第１画像の該低解像度コピー（１４７）をグラフィックバッファ（１４３）に記憶するように更に構成されることを特徴とする請求項１１に記載のシステム。
【請求項１４】
前記第１画像（１４５）の上に該第１画像の前記低解像度コピー（１４７）を表示するためのグラフィックオーバーレイ（１４０）を更に含むことを特徴とする請求項１１に記載のシステム。
【請求項１５】
前記チップは、前記第１画像の前記低解像度コピー（１４７）をフェードアウトして前記第２画像（１４６）を露出する段階の前に該第２画像（１４６）に前記ビデオオーバーレイ（１４０）を向けるように更に構成されることを特徴とする請求項１４に記載のシステム。
【請求項１６】
ビデオ信号を表示するためのシステムであって、
少なくとも１つのビデオ信号ソースと通信するように構成されたビデオモニタ（１００、１００−１）、
を含み、
第１ビデオ信号のフレームである第１画像（１４５）を該第１画像の低解像度コピー（１４７）で置換し、かつ該第１画像の該低解像度コピー（１４７）をフェードアウトして第２ビデオ信号からの第２画像（１４６）を露出するように構成される、
ことを特徴とするシステム。
【請求項１７】
前記少なくとも１つのビデオ信号ソースは、ビデオ番組の第１チャンネルに対応する前記第１ビデオ信号及びビデオ番組の第２チャンネルに対応する前記第２ビデオ信号を選択的に出力するセットトップボックス（１２０）を含むことを特徴とする請求項１６に記載のシステム。
【請求項１８】
前記少なくとも１つのビデオ信号ソースは、前記第１ビデオ信号を出力する第１ビデオ信号ソース及び前記第２ビデオ信号を出力する第２ビデオ信号ソースを含むことを特徴とする請求項１６に記載のシステム。
【請求項１９】
前記第１又は第２ビデオ信号ソースのいずれかは、セットチップボックス（１２０）、高解像度受信機（１５８）、光学ディスクプレーヤ、ビデオサーバ、ビデオレコーダ、又は放送ネットワークのうちのいずれか１つであることを特徴とする請求項１８に記載のシステム。
【発明の詳細な説明】
【背景技術】
【０００１】
ビデオ及び静止画像は、デジタルで様々な記憶媒体に様々なフォーマットで記憶することができる。例えば、静止画像は、「ジェイペグ（ＪＰＥＧ）」フォーマットに従って電子画像ファイルとして記憶することができる。次に、画像のＪＰＥＧファイルにアクセスすることができ、コンピュータ又は他のビデオモニタに表示することができる。
【０００２】
同様に、ビデオは、「エムペグ（ＭＰＥＧ）」規格フォーマットに従ってデジタルで記憶することができる。ビデオはまた、ＭＰＥＧデータとして送信することができる。次に、ＭＰＥＧビデオは、例えば、コンピュータ、テレビジョン、又は他のビデオモニタ上で再生することができる。
【０００３】
デジタルで記憶されたビデオ及び静止画像は、様々な程度の解像度又は画像品質を有する場合がある。解像度又は画像品質が高い程、より多くのデータが画像に対して記憶される。
【０００４】
ビデオ及び静止画像は、様々な記憶媒体に記憶することができる。例えば、デジタルビデオ及び静止画像は、ハードドライブ、フロッピーディスク、コンパクトディスク（ＣＤ）、「デジタル多機能（又はビデオ）ディスク（ＤＶＤ）」、ブルーレイディスク、又はメモリカード上に記憶することができる。
【発明の概要】
【課題を解決するための手段】
【０００５】
２つの高解像度ビデオ信号間の移行の方法は、第１ビデオ信号のフレームである第１画像を第１画像の低解像度コピーで置換する段階、及び第２ビデオ信号からの第２画像を露出するために第１画像の低解像度コピーをフェードアウトする段階を含む。
【０００６】
ビデオ信号を表示するためのシステムは、少なくとも１つのビデオ信号ソースと通信するように構成されたビデオモニタを含む。システムは、第１ビデオ信号のフレームである第１画像を第１画像の低解像度コピーで置換し、かつ第２ビデオ信号からの第２画像を露出するために第１画像の低解像度コピーをフェードアウトするように構成される。
【０００７】
添付の図面は、本発明の様々な実施形態を示し、かつ本明細書の一部である。図示の実施形態は、単に本発明の実施例であり、本発明の範囲を制限するものではない。
【０００８】
図面を通して、同一の参照番号は、類似であるが必ずしも同一とは限らない要素を示している。
【図面の簡単な説明】
【０００９】
【図１】本明細書に説明する原理に従う高解像度画像間の改善した移行によってモニタに画像を表示するためにメディア視聴者アプリケーションが使用される第１システムを示す図である。
【図２】高解像度画像間の改善した移行によってモニタに画像を表示するためにメディア視聴者アプリケーションが使用される第２システムを示す図である。
【図３】高解像度画像間の改善した移行によってモニタに画像を表示するためにメディア視聴者アプリケーションが使用される第３システムを示す図である。
【図４】本明細書に説明する原理に従う高解像度画像間の改善した移行を提供するビデオチップの作動を示す図である。
【図５】本明細書に説明する原理に従う高解像度画像間の移行の方法を示す流れ図である。
【図６】本明細書に説明する原理に従って衛星又はケーブル受信機ボックスからの異なる高解像度チャンネル間の移行の方法が実行される別の実施形態を示す図である。
【図７】本明細書に説明する原理に従って異なる高解像度ビデオソース間の移行の方法が実行される別の実施形態を示す図である。
【発明を実施するための形態】
【００１０】
図１は、ビデオ及び静止画像の両方を記憶及び表示することができるシステムを示している。図１に示すように、本発明のシステムは、テレビジョン又はビデオモニタ（１００）を含む。このモニタ（１００）は、例えば、ブラウン管セット、液晶ディスプレイ、プラズマテレビジョンなどを含む静止又はビデオ画像を表示することができるあらゆるデバイスとすることができる。
【００１１】
コンピュータ（１０１）は、モニタ（１００）に接続される。コンピュータ（１０１）とモニタ（１００）間の接続（１０６）により、コンピュータ（１０１）は、静止又はビデオの画像データを表示のためにモニタ（１００）に送信することができる。本明細書で使用される「画像データ」という語は、静止画像データ及びビデオ又は動画画像データの両方を広義に指すものであることが理解されるであろう。接続（１０６）は、例えば、直接ケーブル、ネットワーク接続、又は無線接続とすることができる。コンピュータ（１０１）は、ホームエンタテインメントサーバとすることができるか又はこれを含むことができる。
【００１２】
コンピュータ（１０１）は、メディア視聴者アプリケーション（１０２）を含む。このアプリケーション（１０２）は、画像データにアクセスし、接続（１０６）を通じてモニタ（１００）に送信することができる画像信号を生成するためにコンピュータ（１０１）によって使用され、それによってビデオ又は静止画像がモニタ（１００）に表示される。メディア視聴者アプリケーション（１０２）は、通常、コンピュータ（１０１）のハードドライブにインストールされ、ユーザがモニタ（１００）に出力するために画像データにアクセスしたい時にユーザの制御下でコンピュータ（１０１）によって実行される。
【００１３】
メディア視聴者アプリケーション（１０２）は、スライドショー機能（１０７）を含む。スライドショー機能（１０７）は、特定の記憶媒体上の画像データに自動的にアクセスし、その特定の記憶媒体に記録されている静止及びビデオ画像の全てを連続して表示することができる。
【００１４】
例えば、コンピュータ（１０１）は、ＣＤ（１０８）からデータを読み取り、ＣＤ（１０８）にデータを書き込むためのＣＤドライブ（１０９）を有することができる。この結果、静止及び／又はビデオ画像（１０５）を記録されているＣＤ（１０８）は、コンピュータ（１０１）によって使用するためにＣＤドライブ（１０９）に挿入することができる。スライドショー機能（１０７）がＣＤドライブ（１０９）に向けられた場合、スライドショー機能（１０７）は、ＣＤ（１０８）の画像データ（１０５）全てにアクセスすることになり、モニタ（１００）にその画像データ（１０５）を連続して表示することになる。従って、ＣＤ（１０８）の画像データの「スライドショー」が自動的に生成される。
【００１５】
同様に、コンピュータ（１０１）は、メモリカード（１０３）を受け入れるためのポート（１０４）を有することができる。メモリカード（１０３）はまた、それに静止及び／又はビデオ画像データ（１０５）を記憶しておくことができる。
【００１６】
上述のように、メディア視聴者アプリケーション（１０２）のスライドショー機能（１０７）は、メモリカード（１０３）に向けることができる。次に、スライドショー機能（１０７）は、メモリカード（１０３）の画像データ（１０５）全てにアクセスすることになり、モニタ（１００）にその画像データ（１０５）を連続して表示することになる。従って、メモリカード（１０３）での画像データの「スライドショー」が自動的に生成される。
【００１７】
同様の方式で、スライドショー機能（１０７）は、コンピュータ（１０１）のハードドライブ又はコンピュータ（１０１）のハードドライブ上の特定のファイル又はファイル階層に向けることができる。次に、スライドショー機能（１０７）は、ハードドライブの画像データの全て又はハードドライブのそのファイル構造にアクセスすることになり、モニタ（１００）にその画像データを連続して表示することになる。他の実施形態では、スライドショー機能（１０７）は、「デジタル・リビング・ネットワーク・アライアンス（ＤＬＮＡ）」サーバ上のスライドショーデータにアクセス可能である。
【００１８】
図２は、上述のメディア視聴者プリケーション（１０２）及びスライドショー機能（１０７）を使用する代替システムを示している。図２に示すように、モニタ（１００）は、「パーソナル・ビデオ・レコーダ（ＰＶＲ）」又は「セットトップボックス（ＳＴＢ）」に接続（１０６）することができる。ＰＶＲ／ＳＴＢは、ＰＶＲ又はＳＴＢのいずれかとすることができ、又は両方とすることができる。
【００１９】
スライドショー機能（１０７）を備えたメディア視聴者アプリケーション（１０２）はまた、ＰＶＲ／ＳＴＢ（１２０）にインストールして実行することができる。これは、アプリケーション（１０２）及び／又はスライドショー機能（１０７）の何らかの修正を要求する場合があるが、アプリケーション（１０２）及び／又はスライドショー機能（１０７）の作動は同じままである。
【００２０】
遠隔制御ユニット（１３１）をＰＶＲ／ＳＴＢ（１２０）の作動を制御するために使用することができる。これは、メディア視聴者アプリケーション（１０２）を実行する段階及びスライドショー機能（１０７）を呼び出す段階を含むであろう。特に、遠隔制御ユニット（１３１）は、ＰＶＲ／ＳＴＢ（１２０）に記憶されている全ての画像データの検索及び系統的な表示のためにＰＶＲ／ＳＴＢ（１２０）のハードドライブにスライドショー機能（１０７）を向けて上述のようなスライドショーを生成するために使用することができる。
【００２１】
同様に、ＰＶＲ／ＳＴＢ（１２０）は、ＣＤドライブ（１０９）及び／又はメモリカードポート（１０４）を含むことができる。この結果、図１に関して上述したように、遠隔制御ユニット（１３１）は、ＤＬＮＡサーバ、ドライブ（１０９）のＣＤ（１０８）、又はポート（１０４）のメモリカード（１０３）を含むＰＶＲ／ＳＴＢ（１２０）に利用可能なあらゆるメモリデバイスにスライドショー機能（１０７）を向けるために使用することができる。次に、スライドショー機能（１０７）は、その選択されたメモリデバイスで画像データのスライドショーを自動的に生成することになる。
【００２２】
図３は、上述のメディア視聴者アプリケーション（１０２）及びスライドショー機能（１０７）を使用することができる更に別のシステムを示している。図３に示すように、モニタ又はテレビジョンセット（１００−１）は、画像データ記憶媒体（１３２）を受け入れるために「イーサネット」ポートのような組込ポート又はドライブ（１３３）を含むことができる。例えば、データ記憶媒体（１３２）は、メモリカードとすることができ、ポート（１３３）は、メモリカードポートとすることができる。
【００２３】
モニタ（１００−１）のプロセッサ及びメモリユニット（１３０）は、上述のメディア視聴者アプリケーション（１０２）及びスライドショー機能（１０７）を記憶及び実行することができる。この結果、ユーザは、プロセッサ（１３０）でメディア視聴者アプリケーション（１０２）を実行し、次に、スライドショー機能（１０７）を呼び出すことができる。次に、スライドショー機能（１０７）は、記憶媒体（１３２）の画像データ（１０５）を使用して、上述のようにスライドショーを自動的に生成することができる。代替的に、利用可能なより多くのデータ記憶媒体がある場合、スライドショー機能（１０７）を望ましい記憶媒体、例えば、媒体（１３２）に選択的に向けることができる。
【００２４】
モニタ（１００−１）は、モニタ（１００−１）のユーザ入力デバイスによって制御することができる。更に、遠隔制御ユニット（１３１−１）は、メディア視聴者アプリケーション（１０２）を実行し、かつスライドショー機能（１０７）を呼び出して制御することを含むモニタ（１００−１）の制御のために使用することができる。
【００２５】
本明細書に説明するスライドショー機能（１０７）は、特定の記憶媒体において１つの画像ファイルから次の画像ファイルへの滑らかな移行又はクロスフェードを提供しなくてはならない。時には、この移行は、静止画像からビデオクリップの第１フレームに又はビデオクリップの最後のフレームから静止画像へとなることになる。移行はまた、１つのビデオクリップの最後のフレームと第２ビデオクリップの第１フレームの間とすることができる。
【００２６】
上述の様々なシステムでは、メディア視聴者アプリケーションは、記憶された画像データを処理してモニタによって使用される信号を出力するためにビデオハードウエアを使用する。このハードウエアは、ビデオカード又はビデオチップの形式とすることができ、本明細書ではまとめてビデオチップと呼ぶ。
【００２７】
表示される画像が比較的高解像度である場合、ビデオチップのビデオオーバーレイ機能が使用される。ビデオオーバーレイ機能は、静止及びビデオの画像を高解像度で処理する機能を有する。
【００２８】
残念ながら、多くの現在のビデオチップは、アルファブレンドに対して、すなわち、第２画像を露出するために第１画像をフェードアウトすることによる２つの高解像度画像間の移行に対して制限された機能しか持たない。これらのビデオチップは、高解像度から低解像度画像に、低解像度画像から高解像度画像に、又は低解像度画像から別の低解像度画像にクロスフェードすることができるが、高解像度画像から別の高解像度画像にクロスフェードすることはできない。
【００２９】
これは、本明細書に説明するスライドショー機能（１０７）に対するいくつかの問題を呈する。スライドショー機能（１０７）は、１つの高解像度画像と別の高解像度画像間を移行させる場合でも、画像データファイル間の滑らかな移行を提供することが好ましい。
【００３０】
一例として、高解像度画像は、１９２０ピクセル×１０８０ピクセルの画像とすることができる。低解像度画像は、１０２４ピクセル×５７６ピクセルの画像とすることができる。これらの例は、単に例示的であり、高解像度画像と低解像度画像の間に考えられる相対的な差の１つの例を示すものである。高解像度画像は、与えられた例よりも多いか又は少ないピクセルを有することができる。また低解像度画像も、与えられた例よりも多いか又は少ないピクセルを有することができる。
【００３１】
２つの高解像度画像間のメディア視聴者アプリケーション（１０２）のスライドショー機能（１０７）によって提供される移行を改善するために、以下の解決法を実施することができる。第１高解像度画像は、短いクロスフェード移行期間中に画像の低解像度コピーで置換される。このようにして、低解像度画像から高解像度画像に移行又はクロスフェードするためのビデオチップの機能が使用される。出て行く画像の低解像度コピーは、表示されて、次に即座にフェードアウトされるので、移行の前の画像品質の変化は、検出できないか、又は少なくともユーザに気付かれないことになる。
【００３２】
図４は、上述のスライドショー機能（１０７）の改善したクロスフェードを実施するためのシステムを示している。図４に示すように、第１画像、すなわち、画像１（１４５）は、高解像度画像であり、そこから、別の高解像度画像、すなわち、画像２（１４６）にフェードされることが望ましい。
【００３３】
画像１（１４５）は、ビデオチップの第１ビデオバッファ（１４２）に記憶される。画像２（１４６）は、第２ビデオバッファ（１４４）に記憶される。次に、ビデオオーバーレイ（１４１）が、第１ビデオバッファ（１４２）の画像１（１４５）に向けられる。
【００３４】
次に、画像１（１４５）は、画像１の低解像度コピー（１４７）を生成するために低解像度でコピーされる。画像１の低解像度コピー（１４７）は、グラフィックバッファ（１４３）に記憶される。次に、低解像度グラフィックオーバーレイ（１４０）は、グラフィックバッファ（１４３）の画像１の低解像度コピー（１４７）に向けられる。
【００３５】
この時点までに、画像１（１４５）は、ビデオチップによって出力されて表示されている。ここで、グラフィックオーバーレイ（１４０）が有効にされ、画像１の低解像度コピー（１４７）が、ビデオチップによって出力された画像になり、画像１（１４５）の高解像度バージョンを置き換える。
【００３６】
直ちに、ビデオオーバーレイ（１４１）は、第２ビデオバッファ（１４４）の画像２（１４６）に向けられ、ビデオチップは、画像１の低解像度コピー（１４７）のグラフィックオーバーレイをフェードアウトし始める。従って、画像２（１４６）は、画像１の低解像度コピー（１４７）がフェードアウトされる時に徐々にビデオチップの出力になる。
【００３７】
結果として、高解像度画像１（１４５）と高解像度画像２（１４６）間の滑らかな移行が視聴者によって知覚される。画像１の低解像度コピー（１４７）は、画像２（１４６）を表示するために非常に短く表示され、迅速にフェードアウトされるので、画像１（１４５）から画像１の低解像度コピー（１４７）への切り換えは、感じ取れない程であるか又は検出することが困難であり、表示されているスライドショーの視聴者の楽しみを損なうことはない。
【００３８】
認められるように、画像１（１４５）は、高解像度静止画像又は高解像度を備えたビデオクリップの最後のフレームのいずれかとすることができる。同様に、画像２（１４６）は、高解像度静止画像又は高解像度を備えたビデオクリップの第１フレームのいずれかとすることができる。
【００３９】
図５は、上述のシステムによって実施される方法を示す流れ図である。最初に、画像１及び２が、第１及び第２ビデオバッファ（図４の１４２及び１４４）に入れられる（段階１４９）。これは、２つの画像を中央に置く段階、及び２つの画像をビデオチップのビデオオーバーレイ（図４の１４１）によって出力することができる最高可能解像度、例えば、１９２０ピクセル×１０８０ピクセルに適合するバッファに合うように２つの画像のサイズを変更する段階を含むことができる。
【００４０】
次に、グラフィックオーバーレイ（図４の１４０）がアクティブである場合は、無効にされる（段階１５０）。グラフィックオーバーレイが無効にされた状態で、ビデオオーバーレイ（図４の１４１）は、第１ビデオバッファの画像１に向けられる（段階１５１）。従って、画像１は、ビデオチップの出力になり、表示される。
【００４１】
次に、画像１の低解像度コピーが生成される（段階１５２）。画像１の低解像度コピーは、グラフィックバッファ（図４の１４３）に記憶される。次に、無効にされたグラフィックオーバーレイは、グラフィックバッファの画像１の低解像度コピーに向けられる（段階１５３）。
【００４２】
次に、グラフィックオーバーレイが有効にされた時（段階１５４）、画像１の低解像度コピーは、オリジナル画像１にレイオーバーされ、ビデオチップの出力になる。ビデオチップのアルファブレンディング機能は、この時点で「全グラフィック」に設定される。
【００４３】
次に、ビデオオーバーレイは、第２ビデオバッファの画像２（図４の１４６）に向けられる（段階１５５）。従って、グラフィックオーバーレイの背後で、画像２が画像１を置き換える。
【００４４】
次に、ビデオチップのアルファブレンディング機能が、元のビデオオーバーレイで高解像度画像２を露出するためにグラフィックオーバーレイの画像１の低解像度コピーをフェードアウトするために呼び出される（段階１５６）。フェードアウトが完了した時、ビデオチップのアルファブレンディング機能は、「全ビデオ」に設定される。グラフィックオーバーレイを再度無効にすることができる（段階１５７）。
【００４５】
結果として、高解像度画像１（１４５）と高解像度画像２（１４６）の間の滑らかな移行が視聴者によって知覚される。画像１の低解像度コピー（１４７）だけが非常に短く表示され、即座にフェードアウトされて画像２（１４６）を露出するので、画像１（１４５）から画像１の低解像度コピー（１４７）への切り換えは、感じ取れない程であるか又は検出が困難であり、かつ表示されているスライドショーの視聴者の楽しみを損なうことはない。
【００４６】
図６は、ＨＤ受信機ボックス（１５８）によってチューニングされたチャンネルを変更する時に使用される方法を含む別の実施形態の図である。受信機ボックス（１５８）は、例えば、セットトップボックス（ＳＴＢ）、「パーソナル又はデジタルビデオレコーダ（ＰＶＲ）」、これら両方の組合せ、又は高解像度ビデオ信号を受信するのに使用されるあらゆる他のユニットとすることができる。一部の実施形態では、受信機ボックス（１５８）は、テレビジョン又はモニタに一体化するか又はそれに組み込むことができる。この実施例における受信機ボックス（１５８）は、衛星、ケーブル、アンテナ、又は高解像度信号を発信することができるあらゆる他のソースから高解像度信号を受信することができる。受信機ボックス（１５８）とモニタ又はテレビジョン（ＴＶ）セット（１００）の間の接続（１０６）は、ケーブル、ネットワーク接続、又は無線接続のようなあらゆる実用的な方法によって実行することができる。代替的に、上述のように、受信機ボックス（１５８）をテレビジョン又はモニタに一体化するか又はそれに組み込むことができる。
【００４７】
受信機ボックス（１５８）によって現在モニタ（１００）に出力されているチャンネルを変更するために、遠隔制御（１３１）又はいずれかの他の制御の方法を使用することができる。受信機ボックス（１５８）は、出力されているチャンネルを変更するためのユーザインタフェースからの指令を受信し、相応に出力チャンネルを変更する機能（１５９）を有し、それによってユーザは、視聴のための異なる番組を選択することができる。
【００４８】
上述の原理によると、１つのＨＤ又は高解像度チャンネルが別のＨＤ又は高解像度チャンネルに変更された時、以前のチャンネルの最後のフレームの高解像度静止画像は、モニタ（１００）で同じ画像の低解像度コピーによって置換される。次に、低解像度コピーはフェードアウトされ、新しいチャンネルから送られるＨＤビデオを露出する。
【００４９】
図７は、以下に限定されるものではないが、ＨＤビデオプレーヤ、ブルーレイプレーヤ、ＤＬＮＡサーバ、「インターネット」ベースのサーバ又は受信機ボックスを含む様々なＨＤソースを伴う高解像度画像間のこの移行方法がどのように実施されるかを示している。多くのエンタテインメントシステムは、ＴＶ又はモニタ（１００）に接続した１つよりも多いデバイスを有する。例えば、エンタテインメントシステムは、同じモニタ又はＴＶ（１００）に接続した受信機ボックス（１５８）と何らかの種類の高解像度ビデオプレーヤ（１６０）の両方を伴うことができる。
【００５０】
スイッチングデバイス（１６１）が、２つの異なるソース間を切り換えるために使用されることがある。ＴＶ又はモニタのような多くのディスプレイデバイスは、複数の入力を有し、かつ組込スイッチングデバイスを含み、従って、図に示すような外部スイッチングデバイスの必要がないことに注意すべきである。
【００５１】
様々な入力間を切り換えるために、遠隔制御（１３１）又はあらゆる他の制御デバイス又はユーザインタフェースを使用することができる。上述の実施形態と同様、古いソースの最後のフレームの静止画像は、その画像の低解像度コピーで置換される。次に、この低解像度コピーは、フェードアウトし、新しいソースから送られるビデオを露出する。
【００５２】
本方法は、２つの異なるソースだけに制限されない。モニタ（１００）にビデオを提供するあらゆる数のＨＤビデオソースも存在することができる。これらのＨＤビデオソースのいずれか１つ又はいずれか他のものからのアクティブフィードの切り換えは、低解像度で古いソースの最後のフレームの静止画像をコピーし、次に、その画像をフェードアウトして新しいソースからのビデオフィードを露出する同じ技術によって実行することができる。
【００５３】
以上の説明は、単に本発明の実施形態を例証して説明するために示したものである。本発明は、網羅的であること又は本発明を開示した通りのいずれかの形態に制限することを意図していない。多くの修正及び変形は、以上の教示の観点から可能である。本発明の範囲は、以下の特許請求の範囲によって定められるように意図している。
【符号の説明】
【００５４】
１４５  第１画像
１４６  第２画像
１４７  第１画像の低解像度コピー
【図１】
2012514944.tif 000003
【図２】
2012514944.tif 000004
【図３】
2012514944.tif 000005
【図４】
2012514944.tif 000006
【図５】
2012514944.tif 000007
【図６】
2012514944.tif 000008
【図７】
2012514944.tif 000009
【国際調査報告】
2012514944.tif 000010
2012514944.tif 000011